(57)【要約】【課題】多量の図面等を持ち運ぶ必要が無く、建築現場にて必要な図面等を簡単に抽出できるようにする。【解決手段】図２にて作業者Ｗが携行している装置１，１０は、本発明に係る図面抽出装置である。この図面抽出装置１，１０は、現在位置を検知するＧＰＳ受信機（不図示）と、該装置の移動方向を検知する方向検知部（不図示）とを備えている。作業者Ｗが、検査したい構造部材（例えば、梁Ｍ３）の延設方向に図面抽出装置１，１０を移動させると（矢印Ａｉ参照）、その移動方向Ａｉが前記方向検知部によって検知され、前記ＧＰＳ受信機からの位置情報を参照することにより、検査したい構造部材Ｍ３が特定され、必要な図面が該装置のモニター部に表示される。この装置を使用すれば、多量の図面等を持ち運ぶ必要が無く、建築現場にて必要な図面等を簡単に抽出できる。【選択図】図２
2010286869.tif 000002
【特許請求の範囲】
【請求項１】
建築物を構成する複数の構造部材の図面データから必要な構造部材の図面データを抽出する図面抽出装置において、
自身の現在位置を検知する位置検知部と、
該位置検知部により検知した現在位置に基づいて、該現在位置の近傍に配置されてなる構造部材を特定する構造部材特定部と、
該構造部材特定部からの情報に基づいて、前記複数の構造部材の図面データが保存されたメモリから前記構造部材特定部にて特定された構造部材の図面データを抽出するデータ抽出部と、
該データ抽出部によって抽出された図面データを表示するモニター部と、
を備えたことを特徴とする図面抽出装置。
【請求項２】
前記位置検知部により検知した位置の近傍に構造部材が複数あって、前記構造部材特定部が該複数の構造部材を特定した場合に、前記モニター部にて図面データが表示されるべき構造部材を指示するための表示指示部、
を備えたことを特徴とする請求項１に記載の図面抽出装置。
【請求項３】
移動方向を検知する方向検知部を備え、
前記構造部材特定部は、前記位置検知部により検知した現在位置と、前記方向検知部により検知した移動方向とに基づき、前記現在位置において前記移動方向に延設されてなる構造部材を特定する、
ことを特徴とする請求項１に記載の図面抽出装置。
【請求項４】
前記方向検知部は、前記位置検知部が移動された場合の位置についての複数の情報から該位置検知部の移動方向を検知するように構成された、
ことを特徴とする請求項３に記載の図面抽出装置。
【請求項５】
前記構造部材特定部、前記データ抽出部及び前記モニター部は携帯情報端末に設けられ、
前記位置検知部は、該携帯情報端末に内蔵又は接続されてなるＧＰＳ受信機である、
ことを特徴とする請求項１乃至４のいずれか１項に記載の図面抽出装置。
【発明の詳細な説明】
【技術分野】
【０００１】
本発明は、建築物を構成する複数の構造部材の図面データから必要な構造部材の図面データを抽出する図面抽出装置に関する。
【背景技術】
【０００２】
従来、マンション等の建築物において検査や工事を行う場合には、その検査や工事をする作業者が種々の図面を携行して行き作業を行っていた。例えば、マンション等を建築をする際には、配筋工事がある程度完了していてコンクリートを打設する前の段階において、梁や柱やスラブ等（以下、適宜“構造部材”と呼ぶ）の配筋状態を検査することが行われるが、その場合、作業者は、検査を行おうとする構造部材の全ての配筋図等を携行していた（例えば、特許文献１参照。）。
【先行技術文献】
【特許文献】
【０００３】
【特許文献１】特開平１０−２５８９５号公報
【発明の概要】
【発明が解決しようとする課題】
【０００４】
しかしながら、多量の図面を持ち運びながら作業をすることが作業者にとって負担となっていた。また、現場で作業を行う際には、その多量の図面から必要な図面を捜し出さなければならず、さらに負担が増すと共に、作業効率も悪くなってしまうという問題があった。
【０００５】
本発明は、上述の課題を解決するための図面抽出装置を提供することを目的とするものである。
【課題を解決するための手段】
【０００６】
請求項１に係る発明は、図１(a) (b) に例示するものであって、建築物を構成する複数の構造部材の図面データから必要な構造部材の図面データを抽出する図面抽出装置（１，１０）において、
自身の現在位置（ｘｉ，ｙｉ）を検知する位置検知部（２）と、
該位置検知部（２）により検知した現在位置（ｘｉ，ｙｉ）に基づいて、該現在位置（ｘｉ，ｙｉ）の近傍に配置されてなる構造部材（Ｍｉ）を特定する構造部材特定部（３）と、
該構造部材特定部（３）からの情報に基づいて、前記複数の構造部材の図面データが保存されたメモリ（４）から前記構造部材特定部（３）にて特定された構造部材（Ｍｉ）の図面データ（Ｄｉ）を抽出するデータ抽出部（５）と、
該データ抽出部（５）によって抽出された図面データ（Ｄｉ）を表示するモニター部（６）と、を備えたことを特徴とする。
【０００７】
請求項２に係る発明は、請求項１に係る発明において、前記位置検知部（２）により検知した位置（ｘｉ，ｙｉ）の近傍に構造部材が複数あって、前記構造部材特定部（３）が該複数の構造部材を特定した場合に、前記モニター部（６）にて図面データが表示されるべき構造部材を指示するための表示指示部（不図示）、を備えたことを特徴とする。
【０００８】
請求項３に係る発明は、請求項１に係る発明において、移動方向（Ａｉ）を検知する方向検知部（７，１７）を備え、
前記構造部材特定部（３）は、前記位置検知部（２）により検知した現在位置（ｘｉ，ｙｉ，ｘｊ，ｙｊ）と、前記方向検知部（７，１７）により検知した移動方向（Ａｉ）とに基づき、前記現在位置（ｘｉ，ｙｉ）において前記移動方向（Ａｉ）に延設されてなる構造部材（Ｍｉ）を特定することを特徴とする。
【０００９】
請求項４に係る発明は、請求項３に係る発明において、前記方向検知部（１７）が、前記位置検知部（２）が移動された場合の位置についての複数の情報（ｘｉ，ｙｉ，ｘｊ，ｙｊ）から該位置検知部（２）の移動方向（Ａｉ）を検知するように構成されたことを特徴とする。
【００１０】
請求項５に係る発明は、請求項１乃至４のいずれか１項に係る発明において、前記構造部材特定部（３）、前記データ抽出部（５）及び前記モニター部（６）が携帯情報端末に設けられ、
前記位置検知部（２）が、該携帯情報端末に内蔵又は接続されてなるＧＰＳ受信機であることを特徴とする。
【００１１】
なお、括弧内の番号などは、図面における対応する要素を示す便宜的なものであり、従って、本記述は図面上の記載に限定拘束されるものではない。
【発明の効果】
【００１２】
請求項１及び２に係る発明によれば、多量の図面をメモリに保存した状態で持ち運べるので、多量の図面を紙のままの状態で持ち運ぶ必要が無くなり、その分、作業者の負担を軽減できる。また、前記図面抽出装置を携帯した作業者が建築物のどこにいるか（つまり、現在位置）は上述の位置検知部によって検知され、その位置情報に基づいて前記データ抽出部によって必要な図面が正確に抽出されるので、作業者自身が抽出作業をする必要が無くなり、その点においても作業者の負担を軽減することが出来る。
【００１３】
請求項３乃至５に係る発明によれば、必要とされる操作は、前記方向検知部（或いは前記位置検知部）を構造部材の延設方向に移動させるという簡単かつ直感的な操作であるので、操作ミス（図面の抽出ミス）を防止することができる。
【図面の簡単な説明】
【００１４】
【図１】図１(a) は、本発明に係る図面抽出装置の構成の一例を示すブロック図であり、同図(b)は、本発明に係る図面抽出装置の構成の他の例を示すブロック図である。
【図２】図２は、本発明に係る図面抽出装置の使用状態の一例を示す斜視図である。
【発明を実施するための形態】
【００１５】
以下、図１及び図２に沿って、本発明の実施の形態について説明する。
【００１６】
本発明に係る図面抽出装置は、“複数の構造部材についての図面データ（つまり、建築物を構成する複数の梁や柱やスラブ等についての複数の図面データ）”から“必要な構造部材の図面データ”を抽出する装置である。この図面抽出装置は、携帯可能となるように小型でかつ軽量に構成されている。
【００１７】
この図面抽出装置は、図１(a) に符号１で例示するものであって、
・  自身の現在位置（位置検知部２の現在位置の意）ｘｉ，ｙｉを検知する位置検知部２と、
・  該位置検知部２により検知した現在位置ｘｉ，ｙｉに基づいて、該現在位置ｘｉ，ｙｉの近傍に配置されてなる構造部材Ｍｉを特定する構造部材特定部３と、
・  該構造部材特定部３からの情報に基づいて、前記複数の構造部材の図面データが保存されたメモリ４から前記構造部材特定部３にて特定された構造部材Ｍｉの図面データＤｉを抽出するデータ抽出部５と、
・  該データ抽出部５によって抽出された図面データＤｉを表示するモニター部６と、
を備えている。ここで、前記データ抽出部５によって抽出される図面データＤｉとしては、躯体図や断面リストや配筋図等のデータを挙げることができる。なお、このデータ抽出部５によって図面データ以外のデータ（例えば、主筋の本数や直径や間隔、及びフープ筋の直径やピッチ等）も同時に抽出し、図面と一緒に前記モニター部６に表示するようにしても良い。
【００１８】
本発明によれば、多量の図面をメモリ４に保存した状態で持ち運べるので、多量の図面を紙のままの状態で持ち運ぶ必要が無くなり、その分、作業者の負担を軽減できる。また、前記図面抽出装置１を携帯した作業者が建築物のどこにいるか（つまり、現在位置ｘｉ，ｙｉ）は上述の位置検知部２によって検知され、その位置情報に基づいて前記データ抽出部５によって必要な図面が正確に抽出されるので、作業者自身が抽出作業をする必要が無くなり、その点においても作業者の負担を軽減することが出来る。
【００１９】
ところで、上述の構造部材特定部３が、１つではなく複数の構造部材を特定する場合もあり得る。例えば、建築物の架構の交点には梁や柱等の複数の構造部材が近接して配置されることとなるので、図２に例示するように作業者（図面抽出装置１，１０を携帯した作業者）がそのような架構交点の付近にいる場合には、前記位置検知部２により検知した位置の近傍には構造部材が複数存在することとなり、前記構造部材特定部３はそれらの複数の構造部材を特定することとなる。その場合は、それら複数の構造部材Ｍ１，…の図面の全てをモニター部６に表示するようにしても良いが、どの図面データを選択的に表示するかを指示する表示指示部を設けておいて、該表示指示部を操作することによって必要な図面データだけを表示するようにしても良い。この表示指示部としては、スイッチやボタンやタッチペン等の公知の手段を挙げることができる。
【００２０】
また、そのようなスイッチやボタン等からなる表示指示部を設ける代わりに、移動方向を検知する方向検知部（図１(a)
の符号７参照）を設けておき、前記位置検知部２により検知した現在位置ｘｉ，ｙｉと、前記方向検知部７により検知した移動方向Ａｉとに基づき、上述の構造部材特定部３が、前記現在位置ｘｉ，ｙｉにおいて前記移動方向Ａｉに延設されてなる構造部材を特定するようにしても良い。この方向検知部としては、
(1)   該方向検知部自身の移動方向を検知できるセンサ（例えば、空間マウスやゲーム用リモコン等に搭載されているようなジャイロセンサ）７や、
(2)   前記位置検知部（例えば、ＧＰＳ受信機）２が移動された場合に該位置検知部２が検知した位置情報ｘｉ，ｙｉ，ｘｊ，ｙｊを受信するように構成されると共に、その複数の位置情報から前記位置検知部２の移動方向Ａｉを演算するように構成された演算回路１７
を挙げることができる。上記(1) (2) における方向検知は、作業者によって所定のボタンが押された時に行われるようにすると良い。上記(1) (2) のいずれの場合においても、作業者は、図面を抽出したい構造部材に沿って前記方向検知部７又は前記位置検知部２を移動させるだけで（つまり、上記(1)
の場合には方向検知部７を移動させ、上記(2) の場合には前記位置検知部２を移動させるだけで）、その構造部材のみが前記構造部材特定部３によって特定され、該構造部材についての図面データが前記モニター部６に表示されることとなる。その際に必要とされる操作は、前記方向検知部７（或いは前記位置検知部２）を構造部材の延設方向に移動させるという簡単かつ直感的な操作であるので、操作ミス（図面の抽出ミス）を防止することができる。なお、上記(2)
の場合は、前記位置検知部２は専ら平面座標（緯度と経度など）を検知するので、前記方向検知部１７により演算される方向も平面内のもの（要するに、“方位”）に限られる。しかし、建築物の一般的な梁は、水平に延設されているので、その梁の延設方向として方位（例えば、南北に延びているとか、西北西に延びているとかという方位）の情報さえ取得できれば、梁を特定することが可能となる。そして、上記(2) の場合には、方向検知のためのジャイロセンサを不要とするので、その分、コストを低減することができる。
【００２１】
なお、本発明に係る図面抽出装置１，１０は、ノートパソコンやＰＤＡ等の携帯情報端末を用いて構成すると良い。具体的には、ソフトウェアを携帯情報端末にインストールして上述の構造部材特定部３やデータ抽出部５を該端末内に設置し、該端末のディスプレイを前記モニター部６として使用すると良い。また、携帯情報端末がＧＰＳ受信機を内蔵していれば、それを前記位置検知部２として利用すると良いが、ＧＰＳ受信機を内蔵していない端末の場合には、外付けのＧＰＳ受信機を有線又は無線で携帯情報端末に接続するようにすると良い。さらに、上述のメモリ４（つまり、建築物を構成する複数の構造部材の図面データが保存されているメモリ）は、携帯情報端末の内部メモリであっても、或いは外付けのメモリ（ＵＳＢメモリやＳＤカード等）であっても良い。
【００２２】
一方、前記位置検知部２により検知した位置情報、並びに前記方向検知部７，１７により検知した方向についての情報を保存する情報保存部（不図示）を設けるようにしても良い。そのようにした場合には、作業者が建築現場にて歩いた経路等を記録できるので、後で作業内容を確認することも可能となる。
【００２３】
なお、本発明に係る図面抽出装置は、鉄筋コンクリート製以外の建築物に利用しても良い。
【００２４】
また、複数階の建築物の場合には、図面抽出装置１，１０が何階にあるかの情報も必要となるが、その情報は作業者自身が図面抽出装置１，１０に入力するようにすると良い。
【符号の説明】
【００２５】
１                図面抽出装置
２                位置検知部
３                構造部材特定部
４                メモリ
５                データ抽出部
６                モニター部
７                方向検知部
１０              図面抽出装置
１７              方向検知部
ｘｉ，ｙｉ        現在位置
ｘｊ，ｙｊ        現在位置
Ａｉ              移動方向
【図１】
2010286869.tif 000003
【図２】
2010286869.tif 000004